(57)【要約】【課題】  本発明の目的は、レンズ筐体２へ着脱可能であるフレアカット用のフード３にレンズキャップ４が装着された状態でレンズ筐体２にフレアカット用のフード３を着脱可能にしたレンズ装置を提供することである。【解決手段】  そこで、本発明では、レンズ筐体２と、前記レンズ筐体２に着脱可能なフレアカット用のフード３と、前記フード３へ着脱可能なレンズキャップ４と、前記フードに前記レンズキャップが装着された状態でも前記フードが前記レンズ筐体に着脱可能とする第１のロック機構と、を有するレンズ装置であって、前記レンズキャップの内径部に設けられた第１の回転規制部４０１ａ及び前記フードに設けられた第２の回転規制部３０１ｆが係合することで、前記レンズキャップ４及び前記フード３が相対的に光軸周りに回転することを規制している構成とした。【選択図】  図１
2012047804.tif 000002
【特許請求の範囲】
【請求項１】
レンズ筐体と、前記レンズ筐体に着脱可能なフレアカット用のフードと、前記フードへ着脱可能なレンズキャップと、前記フードに前記レンズキャップが装着された状態でも前記フードが前記レンズ筐体に着脱可能とする第１のロック機構と、を有するレンズ装置であって、
前記レンズキャップの内径部に設けられた第１の回転規制部及び前記フードに設けられた第２の回転規制部が係合することで、前記レンズキャップ及び前記フードが相対的に光軸周りに回転することを規制していることを特徴とするレンズ装置。
【請求項２】
更に、前記レンズキャップが前記フードに着脱可能とする第２のロック機構と、を備え、前記レンズ筐体は、ズームレンズ筐体であり、かつ、前記ズームレンズ筐体は、長焦点側において対角魚眼レンズであり、短焦点側において円周魚眼レンズであり、短焦点側において前記フードに前記レンズキャップが装着された状態で前記第１のロック機構により前記フードが前記ズームレンズ筐体に着脱可能であり、長焦点側において前記ズームレンズ筐体に前記フードが装着された状態で前記第２のロック機構により前記レンズキャップが前記フードに着脱可能である請求項１に記載のレンズ装置。
【請求項３】
前記フードは、前記レンズ筐体にバヨネット構造により着脱可能である請求項１又は２に記載のレンズ装置。
【請求項４】
請求項１乃至３の何れか一項に記載のレンズ装置と、撮像素子と、を有する撮像装置。
【発明の詳細な説明】
【技術分野】
【０００１】
本発明は、レンズ筐体に着脱されるアクセサリ部品であるフレアカット用のフード、レンズキャップに関し、特に、アクセサリ部品の着脱構造に関するものである。
【背景技術】
【０００２】
従来、広角レンズにおいて、画面外の有害な光線を遮光し、かつ矩形対角方向にケラレ等が生じることがないよう、レンズ鏡筒先端に設けられたフード形状を花弁形状にすることはよく知られている。また、そのようなフレアカット用のフード形状を有したレンズ筐体へレンズ保護の役目を果たすレンズキャップを装着する手法が知られている。
【０００３】
例えば、特許文献１では、レンズ筐体と一体となった固定フレアカット用のフードへレンズキャップが着脱される手法が開示されている。レンズキャップに固定フレアカット用のフードの花弁形状斜面に当接する回転規制形状が設けられている。
【０００４】
この形状によりレンズキャップとフレアカット用のフードの回転を規制することで、定まった位相にレンズキャップが保持される。
【０００５】
また、保持方法として、レンズキャップは、固定フレアカット用のフードの内径部に設けられているフィルタネジ部にスナップで引っ掛かることで保持される。上述の構造によりレンズキャップは繰り返し使用にも保持力を維持することができる。
【０００６】
特許文献２では、レンズ筐体の先端部の内径にバヨネット構造でレンズフードが保持されており、レンズフードの外径がレンズ筐体の先端部の外径とほぼ同じとされている。このような構造をとることによりレンズ筐体の先端部の外径にレンズフードと干渉することなく標準のレンズキャップを装着することができる。
【先行技術文献】
【特許文献】
【０００７】
【特許文献１】特開２００９−１７５３４８号公報
【特許文献２】特開２００８−００３３４４号公報
【発明の概要】
【発明が解決しようとする課題】
【０００８】
しかしながら、短焦点時に円周魚眼で、長焦点時に対角魚眼となるズーム魚眼レンズの場合、ユーザーは、短焦点端と長焦点端の２焦点レンズとして主に使用されると考えられる。
【０００９】
上述の交換レンズのようなレンズの短焦点の場合、有効光線を遮らない適切な花弁形状を構成しようとすると、花弁形状が極端に小さくなり、遮光効果を得ることが困難である。
【００１０】
短焦点端時に合わせた花弁形状では、十分な遮光効果を得ることが出来ず、長焦点端での遮光効果も最適な遮光形状から大きく離れた花弁形状となるため、短焦点、長焦点共に遮光効果を得ることができなくなってしまう。
【００１１】
よって、長焦点端時の有効光線に合わせた花弁形状を構成し、短焦点端時にはフレアカット用のフードを外すことで効率よく遮光効果を得るフレアカット用のフードを構成するのが望ましい。
【００１２】
つまり、上述の特許文献１に開示された従来技術は、フレアカット用のフードをレンズ筐体から取り外すことができない場合のみの提案であり、上述のズーム魚眼レンズのような場合を考えると、フレアカット用のフードを取り外す必要がある。
【００１３】
また、上述の特許文献２に開示された従来技術では、収納状態から短焦点端での撮影に移行する時、レンズキャップを取り外した後フレアカット用のフードを外す必要がある。これでは撮影に手間がかかってしまい、シャッターチャンスを逃してしまう恐れがある。
【００１４】
そこで、本発明の目的は、ズームレンズ筐体へ着脱可能であるフレアカット用のフードに、レンズキャップが装着された状態で、ズームレンズ筐体にフレアカット用のフードを着脱可能にしたレンズ装置を提供することである。
【課題を解決するための手段】
【００１５】
上記目的を達成するために、本発明は、レンズ筐体と、前記レンズ筐体に着脱可能なフレアカット用のフードと、前記フードへ着脱可能なレンズキャップと、前記フードに前記レンズキャップが装着された状態でも前記フードが前記レンズ筐体に着脱可能とする第１のロック機構と、を有するレンズ装置であって、
前記レンズキャップの内径部に設けられた第１の回転規制部及び前記フードに設けられた第２の回転規制部が係合することで、前記レンズキャップ及び前記フードが相対的に光軸周りに回転することを規制している。
【発明の効果】
【００１６】
本発明によれば、レンズ筐体へ着脱可能であるフレアカット用のフードにレンズキャップが装着された状態でレンズ筐体にフレアカット用のフードを着脱可能にしたレンズ装置を提供することができる効果が得られる。
【図面の簡単な説明】
【００１７】
【図１】実施例の交換レンズへフレアカット用のフード、レンズキャップを装着した状態の断面図
【図２】フレアカット用のフードの形状を説明する分解斜視図
【図３】フレアカット用のフードの取り付け構造の要所を説明する断面図
【図４】レンズキャップの形状を説明する図
【図５】実施例の交換レンズへフレアカット用のフード、レンズキャップを装着した収納状態の斜視図
【図６】ズームが長焦点端の状態での最適な撮影状態を表す斜視図
【図７】ズームが短焦点端の状態での最適な撮影状態を表す斜視図
【発明を実施するための形態】
【００１８】
以下に、本発明の好ましい実施の形態を、図１〜図７の図面に基づいて詳細に説明する。
【実施例１】
【００１９】
図１は一眼レフレックスカメラ用交換レンズ２のワイド状態における内部構造、交換レンズ２に取り付けられるフレアカット用のフード３、レンズ保護のためのレンズキャップ４、交換レンズ２が取り付けられるカメラ本体１の概略を示す断面図である。図２は本実施例のフレアカット用のフード３の構造を示す分解斜視図となっている。図３は本実施例のフレアカット用のフード３の要所を示す断面図となっている。図４は本実施例のレンズキャップを示す図となっている。図５は本実施例レンズ装置の収納状態を示す斜視図となっており、ズームレンズ筐体としての交換レンズ２へフレアカット用のフード３とレンズキャップ４を装着した様子となっている。
ズームレンズ筐体としての交換レンズ２とカメラ本体１にて撮像装置を構成している。
ズームレンズ筐体としての交換レンズ２、フレアカット用のフード３、レンズキャップ４にてレンズ装置を構成している。
【００２０】
図６はズームが長焦点端の状態での最適な撮影状態を表す斜視図となっており、図５から交換レンズ２へスナップで保持されているレンズキャップ４を取り外した様子となっている。フレアカット用のフード３により、撮影時に余計な光線を防ぎゴーストやフレアをカットすることができる。
【００２１】
図７はズームが短焦点端の状態での最適な撮影状態を表す斜視図となっており、ズームレンズ筐体としての交換レンズ２からフレアカット用のフード３とレンズキャップ４を取り外した様子となっている。
【００２２】
先ず、図１を用いて本実施例のレンズ装置の構成について説明する。
【００２３】
カメラ本体１には交換レンズ２が着脱可能に取り付けられ、カメラ本体１内には撮像素子１０１が設けられている。交換レンズ２は、物体側から順に、第１レンズ群Ｌ１、第２レンズ群Ｌ２、第３レンズ群Ｌ３、第４レンズ群Ｌ４、第５レンズ群Ｌ５を有する５群構成レンズである。レンズ群Ｌ１〜Ｌ２とレンズ群Ｌ３〜Ｌ５はズーム動作に際し光軸方向に一体で移動する変倍レンズ群であり。また、その中で、第２レンズ群Ｌ２はフォーカス動作に際し光軸方向に移動する合焦レンズ群でもある。
【００２４】
交換レンズ２は、マウント２０１に設けられたバヨネット爪にて、カメラ本体１へ着脱可能に取り付けられる。
２０２はフード枠であり、フード枠２０２の外周にはバヨネット爪２０２ａが設けられている。
３はフレアカット用のフードであり、バヨネット爪２０２ａに係合し保持されている。
４はレンズキャップであり、フレアカット用のフードにスナップにて取り付けられている。
【００２５】
以上が、本実施例のレンズ装置の構成となっている。
この交換レンズ２は、カメラ本体１の撮像素子１０１が２４×３６ｍｍと同等の大きさであるフルサイズの場合、短焦点側（短焦点端）で円周魚眼レンズ、長焦点側（長焦点端）で対角魚眼レンズとなるズーム魚眼レンズである。そして、撮影する場合には、主に短焦点側（短焦点端）と長焦点側（長焦点端）で使用され、２焦点レンズとして用いられる。
【００２６】
次に、図２、図３を用いて本実施例のフレアカット用のフード３の構成について説明する。
３０１はフレアカット用のフード本体である。３０１は長辺部３０１ｂ、短辺部３０１ｃ，切り込み部３０１ｄを有しておりいわゆる花弁形状が形成されている。
長辺部３０１ｂは、撮影画面の長辺に相当する部分を遮光する１対の部分であり、短辺部３０１ｃは、撮影画面の短辺に相当する部分を遮光する１対の部分である。
切り込み部３０１ｄは、撮影画面の対角線方向に相当する部分に設けられ、本実施例、交換レンズ２の長焦点端（対角魚眼）の有効光線を遮らないようにカメラ本体１側に設けられている。
【００２７】
次に、バヨネット構造の説明を行う。
【００２８】
また、フード本体３０１には内周にバヨネット爪３０１ａが設けられている。このバヨネット爪３０１ａがフード枠２０２のバヨネット爪２０２ａと係合されることでフレアカット用のフードの光軸ｍ方向を係合保持するバヨネット構造としている。
３０２は、第２のロック機構としてのロックノブであり、フード本体３０１とフードカバー３０４に挟まれ、ボス３０２ｃがフードカバー３０４の嵌合穴３０４ａに嵌ることでボス３０２ｃを中心に回転可能に保持されている。
フードカバー３０４には、第２のロック機構としてのロックノブの回転範囲を規制する規制部が設けられておりロックノブ３０２の回転範囲を制限している。また、ボス３０２ｃにはねじりバネ３０３が嵌められ、３０３ａがロックノブに３０３ｂがフードカバー３０４に固定されてる。
このねじりバネ３０３のバネ力で、ロックノブはフレアカット用のフード３が交換レンズ２に装着された状態では常にフード枠２０２のバヨネット爪２０２ａに当接し押し付けられている。
【００２９】
そうすることで、フレアカット用のフードが光軸ｍ中心に回転し、交換レンズ２からフレアカット用のフード３が不意に脱着するのを防ぐロック構造となっている。そして、第２のロック機構としてのロックノブ３０２は操作部３０２ｂが設けられている。操作部３０２ｂが押されると、ロックノブはボス３０２ｃを中心に回転しバヨネット爪２０２ａとの係合を解除し、ロックをはずすことができる。
【００３０】
以上の構成により、フレアカット用のフード３はロックノブ３０２の操作部３０２ｂを操作することでロック機構を有しながらフード枠２０２と着脱可能に保持される。
【００３１】
次に、レンズキャップ４の構成について説明する。
【００３２】
レンズキャップ４は略円筒形状を成しており、キャップ本体４０１と弾性部材であるキャップノブ４０２により構成される。
レンズキャップノブ４０２には自身の弾性性質により径方向外側に付勢された一対の爪部４０２ａが設けられており、その爪部４０２ａがフード本体３０１に設けられた係合溝３０１ｅに係合される。このようにしてレンズキャップ４はフレアカット用のフード３にスナップ方式により保持される。
【００３３】
また、レンズキャップ４の内径部には、第１の回転規制部４０１ａが設けられている。レンズキャップ４はフレアカット用のフード３の切り込み部３０１ｄとレンズキャップ４の第１の回転規制部４０１ａとの位相が一致する位置にて上述のスナップ方式を用いることでフレアカット用のフード３に装着される。
【００３４】
この時、フレアカット用のフード３の切り込み部斜面３０１ｆとレンズキャップ４内径に設けられた第１の回転規制部４０１ａは回転方向で当接している。
【００３５】
よって、レンズキャップ４が回転して爪部４０２ａがフレアカット用のフードの短辺部３０１ｃに落ち込むことはない。つまりフレアカット用のフード３に対するレンズフード４の相対的に光軸周りの回転位相が規制される状態となる。また、フードの切り込み部とレンズキャップ内径部の第１の回転規制部４０１ａの位相がずれている状態で装着を試みた場合、第２の回転規制部としてのフード切り込み部斜面３０１ｆと第１の回転規制部４０１ａが当節し、正しい位相へと誘導される。
【００３６】
したがって、フレアカット用のフード３へレンズキャップ４を装着する際、厳密に位相を合わせなくても容易に装着は可能となる。
【００３７】
レンズキャップ４にはフレアカット用のフード３に装着された状態でロックノブ３０２の操作部３０２ｂを操作できるように逃げ形状４０１ｂ（図５〜図７に記載）が設けられている。
【００３８】
この逃げ形状４０１ｂにより、レンズキャップ４がフレアカット用のフード３に装着した状態でもロックノブ３０２の操作部３０２ｂを操作することができる。
【００３９】
上述ではレンズ２、フレアカット用のフード３、レンズキャップ４の構造を説明した。次に、本実施例のズーム魚眼レンズである交換レンズ２の短焦点短撮影時と、長焦点端撮影時における収納から撮影に至るまでの準備行動について説明する。
【００４０】
図５は実施例のズーム魚眼レンズへフレアカット用のフード３、レンズキャップ４を装着した収納状態の斜視図である。
【００４１】
図６はズームが長焦点側（長焦点端）の状態での最適な撮影状態を表す斜視図となっており、図５から交換レンズ２へスナップで保持されているレンズキャップ４を取り外した様子となっている。フレアカット用のフード３により、余計な光線を防ぎゴーストやフレアをカットすることができ適切な撮影を行うことができる。
【００４２】
図７は、ズームが短焦点端の状態での最適な撮影状態を表す斜視図となっている。本実施例のような交換レンズ２の場合、上述のようなズーム位置が短焦点側（短焦点端）での撮影時には図７のようなフレアカット用のフード３を取り外した状態で撮影に望むことになる。
【００４３】
図５のようなレンズキャップ４とフレアカット用のフード３が取り付いた収納状態から図７のような短焦点端での撮影状態に移行する方法について説明する。
【００４４】
まず、図５の状態でフレアカット用のフード３の操作部３０１ｂを操作しレンズフード枠２０２の爪部２０２ａとフレアカット用のフード３のロックノブ３０２によるロックを解除する。そして、レンズキャップを光軸ｍ周りに回転させる。ここで、レンズキャップ４の第１の回転規制部４０１ａと第２の回転規制部としてのフレアカット用のフード３の斜面部３０１ｆが当接しているので、レンズキャップ４を回転させると、フレアカット用のフード３も同期して回転する。
【００４５】
つまり、フレアカット用のフード３にレンズキャップ４を装着した状態のまま、フレアカット用のフードをレンズフード枠２０２から取り外すことができる。この操作により、瞬時に本実施例のような交換レンズでも即座に図７のような短焦点端撮影状態へ移行することが可能となる。また、上述での短焦点端での撮影への移行の説明で、レンズキャップ４を回転させると記載したが、レンズキャップ４がフレアカット用のフード３に装着されていればフレアカット用のフードを直接回転させてもかまわない。
【００４６】
以上、本発明の好ましい実施形態について説明したが、本発明はこれらの実施形態に限定されず、その要旨の範囲内で種々の変形及び変更が可能である。
【符号の説明】
【００４７】
１  カメラ本体
２  交換レンズ
２０２  レンズフード枠
２０２ａ  バヨネット爪
３  フレアカット用のフード
３０１ａ  バヨネット爪
４  レンズキャップ
４０１ａ  第１の回転規制部
【図１】
2012047804.tif 000003
【図２】
2012047804.tif 000004
【図３】
2012047804.tif 000005
【図４】
2012047804.tif 000006
【図５】
2012047804.tif 000007
【図６】
2012047804.tif 000008
【図７】
2012047804.tif 000009